(57)【要約】  異なるＵＥのＳＲＳリソース間で相互直交性が維持されることが可能な、Ｎｅｗ  Ｒａｄｉｏ（ＮＲ）システム、及びｎｅｗ  ｒａｄｉｏ通信システムにおいてサウンディング参照信号を送信するための方法が提供される。本システムは、ｅＮｏｄｅＢ及び複数のＵＥを含み、本方法は、ＵＥにおいて、ｅＮｏｄｅＢから受信されたシーケンス番号に基づいて基本シーケンスを生成することと、基本シーケンスに巡回シフトを適用することにより基本シーケンスから複数のブロックを生成することと、巡回シフトされたブロックを連結することによりサウンディング参照信号を生成することとを含む。そして、サウンディング参照信号は、ｅＮｏｄｅＢに送信される。オーバラップされるＵＥ間において、異なる巡回シフトで同一のＺａｄｏｆｆ−Ｃｈｕ基本シーケンスを使用することにより、各ＵＥのＳＲＳの相互直交性が維持される。【選択図】図２
2020526977.tif 000002
【特許請求の範囲】
【請求項１】
ｅＮｏｄｅＢ及び複数のＵＥを含むＮＲ（new radio）通信システムにおいてサウンディング参照信号を送信する方法であって、前記方法は、
ＵＥにおいて、前記ｅＮｏｄｅＢから受信されたシーケンス番号に基づいて基本シーケンスを生成することと、
複数のサブキャリアグループにおいて前記基本シーケンスに巡回シフトを適用することにより前記基本シーケンスから複数のブロックを生成することと、
前記巡回シフトされたブロックを連結することによりサウンディング参照信号を生成することと、
前記サウンディング参照信号を前記ｅＮｏｄｅＢに送信することと、を含み、
前記複数のブロックは、４８個の直交するブロックを含み、前記複数のブロックの各々は、４個のＰＲＢ（Physical Resource Block）長である、方法。
【請求項２】
前記基本シーケンス
2020526977.tif 000018
は
2020526977.tif 000019
にしたがって決定され、ｑ番目のルートZadoff-Chuシーケンスは
2020526977.tif 000020
により定義され、前記ｑは、
2020526977.tif 000021
により与えられ、前記Zadoff-Chuシーケンスの前記長さ
2020526977.tif 000022
は、
2020526977.tif 000023
を満たす最大素数により与えられる、請求項１に記載の方法。
【請求項３】
前記巡回シフトされた基本シーケンス
2020526977.tif 000024
は、
2020526977.tif 000025
にしたがって決定され、
2020526977.tif 000026
は、前記巡回シフトであり、前記巡回シフト
2020526977.tif 000027
は、
2020526977.tif 000028
にしたがって決定され、
2020526977.tif 000029
であり、Ｎａｐは、サウンディング参照信号送信のために使用されるアンテナポート数である、請求項１又は２に記載の方法。
【請求項４】
前記サウンディング参照信号は、当該サウンディング参照信号のブロックが他のＵＥのサウンディング参照信号のブロックと整列されるように送信される、請求項１〜３のいずれか１項に記載の方法。
【請求項５】
各ブロックにおいて各ＵＥに使用される前記巡回シフトは、前記ｅＮｏｄｅＢにより前記ＵＥにシグナリングされる、請求項１〜４のいずれか１項に記載の方法。
【請求項６】
異なる巡回シフトが、対応するブロックにおいて異なるＵＥにより使用される、請求項１〜５のいずれか１項に記載の方法。
【請求項７】
同一の基本シーケンスが、対応するブロックにおいて前記ＵＥにより使用される、請求項１〜６のいずれか１項に記載の方法。
【請求項８】
前記ｅＮｏｄｅＢは、異なるＵＥのＳＲＳリソース間で相互直交性が維持されるように、前記ＵＥの各々において前記ＳＲＳリソースをスケジューリングするように構成される、請求項１〜７のいずれか１項に記載の方法。
【請求項９】
ｅＮｏｄｅＢ及び複数のＵＥを含むｎｅｗ  ｒａｄｉｏ通信システムであって、各ＵＥは、
前記ｅＮｏｄｅＢから受信されたシーケンス番号に基づいて基本シーケンスを生成し、
前記基本シーケンスに巡回シフトを適用することにより前記基本シーケンスから複数のブロックを生成し、
前記巡回シフトされたブロックを連結することにより、サウンディング参照信号を生成し、
前記サウンディング参照信号を前記ｅＮｏｄｅＢに送信する、ｎｅｗ  ｒａｄｉｏ通信システム。
【発明の詳細な説明】
【技術分野】
【０００１】
本発明は、アドバンスト無線通信ネットワーク、特に、ＮＲ（New Radio）ＭＵ−ＭＩＭＯ（Multi-User Multiple Input Multiple Output）通信システムにおけるチャネル品質シグナリングに関する。
【０００２】
本明細書では、以下の略語が使用される。
【表１】
2020526977.tif 000003
【背景技術】
【０００３】
基地局（ｅＮｏｄｅＢ（ｅＮＢ）とも称される）がｅＮｏｄｅＢの範囲内にあるモバイルデバイス（ユーザ装置（ＵＥ）とも称される）と通信する無線通信システムは、広く知られている。各ｅＮｏｄｅＢは、利用可能な帯域幅、つまり、周波数及び時間リソースを、異なるＵＥに対して異なるリソース割り当てに分割する。
【０００４】
帯域幅を効率的に利用するために、ｅＮｏｄｅＢは、とりわけ、アップリンクチャネル品質を推定し、この情報をアップリンクスケジューリングのために使用し得る。サウンディング参照信号（ＳＲＳ：Sounding reference signals）は、既存のＬＴＥシステムにおいて、アップリンクチャネル品質を測定する１つの方法である。
【０００５】
しかし、現在、次世代技術及びサービスの開発、特に、ＮＲ（new radio）システムに多くの注意が向けられている。これらのＮＲシステムは、より長期的な要件とともに、緊急のマーケットニーズの両方を満たすために開発されたため、非常に広範なものである。
【０００６】
ＮＲシステムにおけるＬＴＥライクのサウンディング参照シグナリング方法の使用は、ＮＲシステムの開発では、３ＧＰＰ  ＴＳＧ無線アクセスネットワーク（ＲＡＮ：Radio Access Network）で検討されている。しかし、ＬＴＥライクのサウンディング参照シグナリング方法は、柔軟性のないシグナリングを提供すると見なされている。特に、全てのユーザ間で相互直交性を確保するためには、厳しいスケジューリングの制限が必要になることが提示されている。そのような厳しいスケジューリング制限は、明らかに望ましくない。
【０００７】
このように、ＮＲ（new radio）通信システムにおいて、サウンディング参照信号を送信するための改善された方法の必要性があることは明らかである。
【０００８】
本明細書において先行技術の刊行物が言及される場合、この参照は、当該刊行物がオーストラリア又はいずれかの他の国における本技術分野の一般的な一般知識の一部を形成することの自認を構成しないことは明確に理解される。
【発明の概要】
【０００９】
本発明は、上述した欠点の少なくとも１つを少なくとも部分的に解決するか、又は消費者に有用な又は商業的な選択を提供し得る、ＮＲ（new radio）通信システムにおけるサウンディング参照信号を送信するための方法に関連する。
【００１０】
上記を考慮して、本発明は、一形態において、ｅＮｏｄｅＢ及び複数のＵＥを含むｎｅｗ  ｒａｄｉｏ通信システムにおいて、サウンディング参照信号を送信するための方法において広く属し、前記方法は、
ＵＥにおいて、前記ｅＮｏｄｅＢから受信されたシーケンス番号に基づいて基本シーケンスを生成することと、
前記基本シーケンスに巡回シフトを適用することにより前記基本シーケンスから複数のブロックを生成することと、
前記巡回シフトされたブロックを連結することによりサウンディング参照信号を生成することと、
前記サウンディング参照信号を前記ｅＮｏｄｅＢに送信することと、を含み、
前記複数のブロックは、４８個の直交するブロックを含み、前記複数のブロックの各々は、４個のＰＲＢ（Physical Resource Block）長である。
【００１１】
有利には、前記方法は、異なるＵＥのＳＲＳリソース間で相互直交性を維持することを可能にし、これにより、より正確なアップリンクチャネル品質推定が可能になる。さらに、本方法は、既存のＬＴＥベースの方法と連携する。
【００１２】
前記基本シーケンス
2020526977.tif 000004
は、３ＧＰＰ仕様ＴＳ  ３６．２１１  Ｖ１４．１．０（２０１６−１２）のセクション５．５．１．１にしたがって決定される。
【００１３】
2020526977.tif 000005
【００１４】
前記巡回シフトされた基本シーケンス
2020526977.tif 000006
は、３ＧＰＰ仕様ＴＳ  ３６．２１１  Ｖ１４．１．０（２０１６−１２）、セクション５．５．３．１にしたがって決定される。
【００１５】
2020526977.tif 000007
【００１６】
2020526977.tif 000008
【００１７】
好ましくは、前記ブロックは、前記ｅＮｏｄｅＢから受信された指示（instruction）に応じて連結される。
【００１８】
好ましくは、前記サウンディング参照信号は、そのブロックが他のＵＥのサウンディング参照信号のブロックと整列されるように、送信される。
【００１９】
好ましくは、各ブロックにおいて各ＵＥにより使用される前記巡回シフトは、前記ｅＮｏｄｅＢにより前記ＵＥにシグナリングされる。
【００２０】
好ましくは、異なる巡回シフトは、対応するブロックにおいて異なるＵＥにより使用される。好ましくは、同一の基本シーケンスは、対応するブロックにおいて前記ＵＥにより使用される。
【００２１】
好ましくは、前記ｅＮｏｄｅＢは、相互直交性が前記異なるＵＥの前記ＳＲＳリソース間で維持されるように、前記ＵＥの各々においてＳＲＳリソースをスケジューリングするように構成される。
【００２２】
他の形態では、本発明は、ｅＮｏｄｅＢ及び複数のＵＥを含むｎｅｗ  ｒａｄｉｏ通信システムにおいて広く属し、各ＵＥは、
前記ｅＮｏｄｅＢから受信されたシーケンス番号に基づいて、基本シーケンスを生成し、
前記基本シーケンスに巡回シフトを適用することにより前記基本シーケンスから複数のブロックを生成し、
前記巡回シフトされたブロックを連結することによりサウンディング参照信号を生成し、
前記サウンディング参照信号を前記ｅＮｏｄｅＢに送信するように構成される。
【００２３】
本明細書に記載される任意の特徴は、本発明のスコープの範囲内で本明細書に記載される任意の１つ又は複数の他の特徴と任意の組み合わせで組み合わせことができる。
【００２４】
本明細書における先行技術への言及は、参考技術が一般的な一般知識の一部を形成するという自認又は任意の形式の示唆として解釈されるものではなく、解釈されるべきでもない。
【図面の簡単な説明】
【００２５】
本発明の様々な実施形態は、以下の図面を参照して説明される。
【００２６】
【図１】図１は、本発明の実施形態にかかるＭＵ−ＭＩＭＯシステムを示す。
【００２７】
【図２】図２は、本発明の実施形態にかかる、ｅＮｏｄｅＢ１０５に送信するために、ＵＥにおけるサウンディング参照信号（ＳＲＳ：Sounding Reference Signal）シーケンスを生成する方法を示す。
【００２８】
【図３】図３は、本発明の実施形態にかかる例示的なＳＲＳシーケンス送信図３００を示す。
【００２９】
本発明の好ましい特徴、実施形態及び変形は、当業者が本発明を実施するために十分な情報を提供する以下の実施形態の説明から認識され得る。実施形態の説明は、いかなる方法により、前述の発明の概要のスコープを限定するものと見なされるべきではない。
【発明を実施するための形態】
【００３０】
図１は、本発明の実施形態にかかるＭＵ−ＭＩＭＯシステム１００を示す。ＭＵ−ＭＩＭＯシステム１００は、複数のアンテナ１１０を含むｅＮｏｄｅＢ１０５を備える。ｅＮｏｄｅＢ１０５は、それぞれが複数のアンテナ１２５を備える複数の異なるＵＥ１２０と通信するように構成される。
【００３１】
以下でさらに詳細を概説するように、ＵＥ１２０は、ｅＮｏｄｅＢ１０５がＵＬチャネル品質を推定可能にするために、サウンディング参照信号（ＳＲＳ）をｅＮｏｄｅＢ１０５に送信する。要するに、ＳＲＳは、ＵＥ１２０からＵＬ方向に送信され、ｅＮｏｄｅＢ１０５がその受信に基づいて、ＵＬチャネル品質を推定することを可能にする、ｅＮｏｄｅＢ１０５に既知のシーケンスを含む。
【００３２】
ｅＮｏｄｅＢ１０５は、ＳＲＳリソースをスケジューリングし、リソースがＳＲＳ時間−周波数リソースエレメント（ＲＥ）において完全に、及び／又は部分的に重複することを構成するように、複数のＵＥ１２０にＳＲＳリソースをスケジューリングできる。ＳＲＳは、ＺＣ（Zadoff Chu）ベースであり、複数のＳＲＳリソースは、重複するＲＥにおいて同じルートシーケンス値を共有できるため、これにより相互相関を低く、又はゼロにすることができる。
【００３３】
図２は、本発明の実施形態にかかる、ｅＮｏｄｅＢ１０５への送信のための、ＵＥ１２０においてＳＲＳシーケンスを生成する方法２００を示す。
【００３４】
最初に、ステップ２０５において、ｅＮｏｄｅＢ１０５から受信した基本シーケンス番号
2020526977.tif 000009
に基づいて、基本シーケンス
2020526977.tif 000010
が生成される。
【００３５】
2020526977.tif 000011
【００３６】
2020526977.tif 000012
【００３７】
ステップ２１０において、複数のブロックが基本シーケンスから生成される。具体的には、ｅＮｏｄｅＢ１０５から受信される巡回シフト
2020526977.tif 000013
は、次のように基本シーケンス
2020526977.tif 000014
に適用される。
【００３８】
2020526977.tif 000015
【００３９】
2020526977.tif 000016
【００４０】
2020526977.tif 000017
について、最大４８個の直交ブロックがある。
【００４１】
ステップ２１５において、ＳＲＳシーケンスは、巡回シフトされたブロックの連結により構築される。具体的には、本ブロックは、ｅＮｏｄｅＢ１０５から受信された指示（instruction）にしたがって連結される。
【００４２】
有利なことに、本方法は、ＬＴＥと同様に重複するＳＲＳリソースの中で、ＣＭ（Cubic Metric）、ピーク対電力平均比（ＰＡＰＲ：peak-to-power average ratio）及び相互相関特性を有する。
【００４３】
図３は、本発明の実施形態にかかる例示的なＳＲＳシーケンス送信図３００を示す。
【００４４】
本シーケンス送信図は、４つのＵＥ３０５（ＵＥ１、ＵＥ２、ＵＥ３、ＵＥ４）からの送信を示し、各ＵＥは、連結された複数の巡回シフトされたブロック３１５を含むＳＲＳシーケンス３１０を送信する。
【００４５】
ブロック３１５のそれぞれは、周波数領域において整列され、各ブロック３１５は、周波数帯域において他のＵＥ３０５のブロック３１５と直交する。
【００４６】
各ブロックにおける各ＵＥにより使用される基本シーケンス及び巡回シフトは、ｅＮｏｄｅＢ１０５によりＵＥ１２０にシグナリングされる。したがって、ｅＮｏｄｅＢ１０５は、ＳＲＳリソースの適切なスケジューリングを通じて、異なるＵＥのＳＲＳリソース間で相互の直交性が維持されることを保証することができる。これは、特定の周波数帯域において全てのＵＥが同じ基本シーケンスを使用し得るが、巡回シフトが異なるためである。
【００４７】
有利なことに、上述した方法及びシステムは、異なるＵＥのＳＲＳリソース間で相互の直交性を維持することを可能にし、これにより、より正確なアップリンクチャネル品質推定が可能になる。さらに、本方法は、既存のＬＴＥベースの方法と連携している。
【００４８】
本明細書及び特許請求の範囲において、（もしあれば）、「含む（comprising）」という単語、並びに「含む（comprises）」及び「含む（comprise）」を含むその派生語は、述べられた整数のそれぞれを含むが、１つ又は複数のさらなる整数の包含を除外するものではない。
【００４９】
本明細書を通して、「一実施形態（one embodiment）」又は「実施形態（an embodiment）」と言及する場合、その実施形態に関連して説明される特定の特徴、構造、又は特性が、本発明の少なくとも１つの実施形態に含まれることを意味する。したがって、本明細書を通して、様々な箇所で「一実施形態において（in one embodiment）」又は「実施形態において（in an embodiment）」という語句の出現は、必ずしも全てが同じ実施形態を参照しているわけではない。さらに、特定の特徴、構造又は特性は、１又は複数の組み合わせで任意の適切な方法で組み合わされてもよい。
【００５０】
法令に従って、本発明は、構造的又は方法的特徴に多かれ少なかれ特有の言語で説明された。本明細書に記載された手段は、本発明を実施する好ましい形態を含むからといって、本発明は、図示又は記載される特定の特徴に限定されないことは理解されたい。したがって、本発明は、（もしあれば）当業者により適切に解釈される添付の特許請求の範囲の適切な範囲内の形態又は変形のいずれかで主張される。
【００５１】
本出願は、２０１７年７月１９日に出願されたオーストラリア仮特許出願第２０１７９０２８３２号に基づき、その優先権の利益を主張し、その開示は参照により全体が本明細書に組み込まれる。
【符号の説明】
【００５２】
１００  ＭＵ−ＭＩＭＯシステム
１０５  ｅＮｏｄｅＢ
１１０、１２５  アンテナ
１２０  ＵＥ
【図１】
2020526977.tif 000030
【図２】
2020526977.tif 000031
【図３】
2020526977.tif 000032
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
ｅＮｏｄｅＢ及び複数のＵＥを含むＮＲ（new radio）通信システムにおいてサウンディング参照信号を送信する方法であって、前記方法は、
前記複数のＵＥの各々において、前記ｅＮｏｄｅＢから受信されたシーケンス番号に基づいて基本シーケンスを生成することと、
複数のサブキャリアグループにおいて前記基本シーケンスに巡回シフトを適用することにより前記基本シーケンスから複数のブロックを生成することと、
前記巡回シフトされたブロックを連結することによりサウンディング参照信号を生成することと、
前記サウンディング参照信号を前記ｅＮｏｄｅＢに送信することと、を含み、
前記複数のブロックは、４８個の直交するブロックを含み、前記複数のブロックの各々は、４個のＰＲＢ（Physical Resource Block）長である、方法。
【請求項２】
前記基本シーケンス
2020526977.tif 000033
は
2020526977.tif 000034
にしたがって決定され、ｑ番目のルートZadoff-Chuシーケンスは
2020526977.tif 000035
により定義され、前記ｑは、
2020526977.tif 000036
により与えられ、前記Zadoff-Chuシーケンスの前記長さ
2020526977.tif 000037
は、
2020526977.tif 000038
を満たす最大素数により与えられる、請求項１に記載の方法。
【請求項３】
前記巡回シフトされた基本シーケンス
2020526977.tif 000039
は、
2020526977.tif 000040
にしたがって決定され、
2020526977.tif 000041
は、前記巡回シフトであり、前記巡回シフト
2020526977.tif 000042
は、
2020526977.tif 000043
にしたがって決定され、
2020526977.tif 000044
であり、Ｎａｐは、サウンディング参照信号送信のために使用されるアンテナポート数である、請求項１又は２に記載の方法。
【請求項４】
前記サウンディング参照信号は、当該サウンディング参照信号のブロックが他のＵＥのサウンディング参照信号のブロックと整列されるように送信される、請求項１〜３のいずれか１項に記載の方法。
【請求項５】
各ブロックにおいて各ＵＥに使用される前記巡回シフトは、前記ｅＮｏｄｅＢにより前記複数のＵＥにシグナリングされる、請求項１〜４のいずれか１項に記載の方法。
【請求項６】
異なる巡回シフトが、対応するブロックにおいて異なるＵＥにより使用される、請求項１〜５のいずれか１項に記載の方法。
【請求項７】
同一の基本シーケンスが、対応するブロックにおいて前記複数のＵＥにより使用される、請求項１〜６のいずれか１項に記載の方法。
【請求項８】
前記ｅＮｏｄｅＢは、異なるＵＥのＳＲＳリソース間で相互直交性が維持されるように、前記複数のＵＥの各々において前記ＳＲＳリソースをスケジューリングするように構成される、請求項１〜７のいずれか１項に記載の方法。
【請求項９】
ｅＮｏｄｅＢ及び複数のＵＥを含むｎｅｗ  ｒａｄｉｏ通信システムであって、前記複数のＵＥの各々は、
前記ｅＮｏｄｅＢから受信されたシーケンス番号に基づいて基本シーケンスを生成し、
前記基本シーケンスに巡回シフトを適用することにより前記基本シーケンスから複数のブロックを生成し、
前記巡回シフトされたブロックを連結することにより、サウンディング参照信号を生成し、
前記サウンディング参照信号を前記ｅＮｏｄｅＢに送信する、ｎｅｗ  ｒａｄｉｏ通信システム。
【国際調査報告】
2020526977.tif 000045
2020526977.tif 000046